【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
温熱または冷熱の少なくともいずれかを発生する熱源部（１０）と、
複数の温調部（１１ａ）に区画され、前記複数の温調部の少なくとも一部が前記熱源部から離れて配置されている温調面（１１）と、
前記熱源部と前記複数の温調部との間を熱伝導可能に接続する複数の熱伝導部（１２）とを備え、
前記複数の温調部は、前記熱源部からの距離に応じて区画されている熱伝導装置。
【請求項２】
前記熱源部と前記複数の温調部のそれぞれとの間の熱抵抗は、均一となっている請求項１に記載の熱伝導装置。
【請求項３】
前記熱源部と前記複数の温調部のそれぞれとの間の熱抵抗を調整する熱抵抗調整部（１４）を備える請求項２に記載の熱伝導装置。
【請求項４】
前記熱抵抗調整部は、低熱抵抗材料からなる請求項３に記載の熱伝導装置。
【請求項５】
前記熱抵抗調整部は、金属からなる請求項３または４に記載の熱伝導装置。
【請求項６】
前記熱抵抗調整部は、耐腐食性を有する請求項３ないし５のいずれか１つに記載の熱伝導装置。
【請求項７】
前記熱抵抗調整部は、チタンからなる請求項６に記載の熱伝導装置。
【請求項８】
前記熱抵抗調整部は、フィルムまたはテープからなる請求項３または４に記載の熱伝導装置。
【請求項９】
前記熱抵抗調整部は、前記熱源部と前記熱伝導部の間に配置されている請求項３ないし８のいずれか１つに記載の熱伝導装置。
【請求項１０】
前記熱伝導部は複数に分割されており、
前記熱抵抗調整部は、分割された前記熱伝導部の間に配置されている請求項３ないし８のいずれか１つに記載の熱伝導装置。
【請求項１１】
前記熱抵抗調整部は、熱伝導率が異なる複数種類の材料を含んでいる請求項３ないし１０のいずれか１つに記載の熱伝導装置。
【請求項１２】
前記複数の熱伝導部は、形状あるいは材質の少なくともいずれかを異ならせることで、それぞれの熱抵抗を調整している請求項２ないし１１のいずれか１つに記載の熱伝導装置。
【請求項１３】
前記複数の熱伝導部は、少なくとも一部に切れ込み又は切り欠きが形成されることで、それぞれの熱抵抗を調整している請求項１２に記載の熱伝導装置。
【請求項１４】
前記複数の温調部は、前記熱源部からの熱抵抗に応じて大きさが調整されている請求項１ないし１３のいずれか１つに記載の熱伝導装置。
【請求項１５】
前記複数の温調部は、前記熱源部からの熱抵抗に応じて面積が調整されている請求項１４に記載の熱伝導装置。
【請求項１６】
前記複数の熱伝導部は積層されている請求項１ないし１５のいずれか１つに記載の熱伝導装置。
【請求項１７】
前記積層された複数の熱伝導部の一部に前記熱源部が接続し、
前記積層された複数の熱伝導部の間には、前記複数の熱伝導部が積層された方向における熱抵抗を調整可能な積層部材（２１）が配置されている請求項１６に記載の熱伝導装置。
【請求項１８】
前記積層部材は、隣接する前記熱伝導部を接合している請求項１７に記載の熱伝導装置。
【請求項１９】
前記熱伝導部は、前記熱源部と前記温調部とを接続する方向の熱伝導性が少なくとも１つの他の方向の熱伝導性よりも高くなっている請求項１ないし１８のいずれか１つに記載の熱伝導装置。
【請求項２０】
前記熱伝導部は、前記熱源部と前記温調部とを接続する方向の熱伝導性が少なくとも１つの他の方向の熱伝導性の１００倍以上である請求項１９に記載の熱伝導装置。
【請求項２１】
前記熱伝導部は、グラファイトシートである請求項２０に記載の熱伝導装置。
【請求項２２】
前記熱伝導部を被覆する断熱部（１３）を備える請求項１ないし２１のいずれか１つに記載の熱伝導装置。
【請求項２３】
前記熱伝導部および前記断熱部は積層されている請求項２２に記載の熱伝導装置。
【請求項２４】
前記熱源部は、熱媒体が流通可能であり、前記熱媒体が外部で受け取った温熱または冷熱の少なくともいずれかを発生させる請求項１ないし２３のいずれか１つに記載の熱伝導装置。
【請求項２５】
前記複数の熱伝導部に前記熱媒体が直接接触する請求項２４に記載の熱伝導装置。
【請求項２６】
前記熱源部は、内部で温熱または冷熱の少なくともいずれかを発生させる請求項１ないし２５のいずれか１つに記載の熱伝導装置。
【請求項２７】
前記熱伝導部は、一端側が前記熱源部に接続されており、他端側の一部が前記温調部を構成している請求項１ないし２６のいずれか１つに記載の熱伝導装置。
【請求項２８】
前記熱伝導部と前記熱源部との間に設けられた熱スイッチ（１７）を備える請求項１ないし２７のいずれか１つに記載の熱伝導装置。
【請求項２９】
温熱または冷熱の少なくともいずれかを発生する熱源部（１０）と、
複数の温調部（１１ａ）に区画され、前記複数の温調部の少なくとも一部が前記熱源部から離れて配置されている温調面（１１）と、
前記熱源部と前記複数の温調部との間を熱伝導可能に接続する複数の熱伝導部（１２）とを備え、
前記複数の熱伝導部は積層されており、
前記積層された複数の熱伝導部の一部に前記熱源部が接続し、
前記積層された複数の熱伝導部の間には、前記複数の熱伝導部が積層された方向における熱抵抗を調整可能な積層部材（２１）が配置されている熱伝導装置。
【請求項３０】
前記積層部材は、隣接する前記熱伝導部を接合している請求項２９に記載の熱伝導装置。
【請求項３１】
温熱または冷熱の少なくともいずれかを発生する熱源部（１０）と、
複数の温調部（１１ａ）に区画され、前記複数の温調部の少なくとも一部が前記熱源部から離れて配置されている温調面（１１）と、
前記熱源部と前記複数の温調部との間を熱伝導可能に接続する複数の熱伝導部（１２）とを備え、
前記熱源部は、熱媒体が流通可能であり、前記熱媒体が外部で受け取った温熱または冷熱の少なくともいずれかを発生させ、
前記複数の熱伝導部に前記熱媒体が直接接触する熱伝導装置。
【手続補正２】
【補正対象書類名】明細書
【補正対象項目名】０００８
【補正方法】変更
【補正の内容】
【０００８】
上記目的を達成するため、請求項１に記載の発明では、温熱または冷熱の少なくともいずれかを発生する熱源部（１０）と、複数の温調部（１１ａ）に区画され、前記複数の温調部の少なくとも一部が前記熱源部から離れて配置されている温調面（１１）と、前記熱源部と前記複数の温調部との間を熱伝導可能に接続する複数の熱伝導部（１２）とを備え、前記複数の温調部は、前記熱源部からの距離に応じて区画されていることを特徴としている。
【手続補正３】
【補正対象書類名】明細書
【補正対象項目名】０００９
【補正方法】変更
【補正の内容】
【０００９】
これにより、熱源部（１０）の熱によって複数に区画された温調部（１１ａ）を直接加熱あるいは冷却することができる。このため、熱源部（１０）から遠くに配置された温調部（１１ａ）においても、熱源部（１０）の近くに配置された温調部（１１ａ）と同じように加熱あるいは冷却することができ、温調面（１１）全体を均一な温度に調整することができる。
また、請求項２９に記載の発明では、複数の熱伝導部は積層されており、積層された複数の熱伝導部の一部に熱源部が接続し、積層された複数の熱伝導部の間には、複数の熱伝導部が積層された方向における熱抵抗を調整可能な積層部材（２１）が配置されていることを特徴としている。
また、請求項３１に記載の発明では、熱源部は、熱媒体が流通可能であり、熱媒体が外部で受け取った温熱または冷熱の少なくともいずれかを発生させ、複数の熱伝導部に熱媒体が直接接触することを特徴としている。